(57)【要約】【課題】顧客が保有する遊技媒体や遊技媒体を借り受けるために支払った現金の残高を用いて景品交換を行うことができる遊技システム、各台対応装置、及び景品交換装置を提供する。【解決手段】所定の識別情報に関連付けて管理されている顧客保有の価値情報を景品交換用価値に変換し、その景品交換用価値を顧客が保有する記録媒体を一意に特定可能な特定情報に関連付け、景品交換装置に記録媒体の特定情報を読取らせて、景品交換用価値に相当する景品を払出させる遊技システムとした。【選択図】図１
2010227440.tif 000002
【特許請求の範囲】
【請求項１】
顧客が保有する価値情報を識別情報に関連付けて管理する管理装置と、前記価値情報を用いて遊技を実行可能とするとともに、各遊技台に対応して設置される各台対応装置と、前記価値情報を用いて景品交換処理を行う景品交換装置とを含む遊技システムであって、
前記各台対応装置は、
前記識別情報を保持する識別情報保持手段と、
前記識別情報保持手段に保持される識別情報に関連付けられた価値情報を景品交換用価値に変換するために前記顧客が操作する変換操作手段と、
前記顧客が保有する記録媒体から、当該記録媒体を一意に特定するための特定情報を取得する特定情報取得手段と、
前記変換操作手段が操作され、且つ前記特定情報取得手段により前記特定情報が取得された場合に、前記識別情報保持手段に保持される識別情報に関連付けられた価値情報の景品交換用価値への変換要求と、取得された特定情報と、前記識別情報保持手段に保持される識別情報とを前記管理装置へ送信する管理装置用送信手段と
を有し、
前記管理装置は、
顧客が保有する価値情報を識別情報に関連付けて記憶する記憶手段と、
前記各台対応装置から前記変換要求と前記特定情報と前記識別情報とを受信する各台対応装置用受信手段と、
前記各台対応装置用受信手段により前記変換要求と前記特定情報と前記識別情報とが受信された場合に、受信された前記識別情報に関連付けて前記記憶手段に記憶している前記価値情報を前記景品交換用価値に変換し、受信された前記特定情報に関連付けて記憶させる記憶管理手段と、
前記景品交換装置から前記特定情報及び景品の価値を示す価値情報を受信する景品交換装置用受信手段と、
前記景品交換装置用受信手段により前記特定情報及び前記価値情報が受信された場合に、受信された前記特定情報に関連付けて記憶している景品交換用価値から、受信された前記価値情報に相当する価値を減算処理する減算処理手段と、
前記減算処理手段による減算処理の後に、前記景品交換装置へ景品の交換を許可する許可情報を送信する景品交換装置用送信手段と
を有し、
前記景品交換装置は、
前記顧客が保有する記録媒体から、当該記録媒体を一意に特定するための特定情報を取得する特定情報取得手段と、
交換する景品を選択するための景品選択操作手段と、
前記特定情報取得手段により前記特定情報が取得され、且つ前記景品選択操作手段により景品か選択された場合に、前記管理装置へ受信された特定情報と前記景品の前記価値情報とを送信する管理装置用送信手段と、
前記管理装置から前記許可情報を受信する管理装置用受信手段と、
前記管理装置用受信手段により前記許可情報が受信された場合に、前記景品選択操作手段により選択された景品の交換処理を実行する景品交換手段と
を有することを特徴とする遊技システム。
【請求項２】
前記各台対応装置は、
景品交換装置で交換しようとする景品の種類、又は景品交換用価値に変換する前記価値情報を指定するために前記顧客が操作する指定操作手段を備え、
前記各台対応装置の前記管理装置用送信手段は、
前記指定操作手段の操作により指定された結果を示す指定情報を前記変換要求に付加して前記管理装置へ送信し、
前記管理装置の前記記憶管理手段は、
前記各台対応装置から受信した指定情報に相当する分の前記価値情報を前記景品交換用価値に変換することを特徴とする請求項１に記載の遊技システム。
【請求項３】
前記管理装置の前記記憶管理手段は、
前記減算処理の結果、景品交換用価値に余りが発生した場合、当該余り分の景品交換用価値を変換前の前記価値情報に再変換することを特徴とする請求項１又は請求項２に記載の遊技システム。
【請求項４】
前記管理装置の前記記憶管理手段は、
前記価値情報を前記景品交換用価値に変換した後、所定期間が経過しても前記減算処理が行われなかった場合に、前記記憶手段から前記景品交換用価値を削除することを特徴とする請求項１〜３のいずれか１項に記載の遊技システム。
【請求項５】
顧客が保有する価値情報を識別情報に関連付けて管理する管理装置と通信可能に構成され、前記価値情報を用いて遊技を実行可能とするとともに、各遊技台に対応して設置される各台対応装置であって、
前記識別情報を保持する識別情報保持手段と、
前記識別情報保持手段に保持される識別情報に関連付けられた価値情報を景品交換用価値に変換するために前記顧客が操作する変換操作手段と、
前記顧客が保有する記録媒体から、当該記録媒体を一意に特定するための特定情報を取得する特定情報取得手段と、
前記変換操作手段が操作され、且つ前記特定情報取得手段により前記特定情報が取得された場合に、前記識別情報保持手段に保持される識別情報に関連付けられた価値情報の景品交換用価値への変換要求と、取得された特定情報と、前記識別情報保持手段に保持される識別情報とを前記管理装置へ送信する管理装置用送信手段と
を有することを特徴とする各台対応装置。
【請求項６】
景品交換装置で交換しようとする景品の種類、又は景品交換に必要な価値情報を指定するために前記顧客が操作する指定操作手段を有し、
前記管理装置用送信手段は、前記指定操作手段の操作により指定された結果を示す指定情報を、前記変換要求に付加して前記管理装置へ送信することを特徴とする請求項５に記載の各台対応装置。
【請求項７】
顧客が獲得した遊技媒体を計数する遊技媒体計数手段を有し、
前記管理装置用送信手段は、前記遊技媒体計数手段によって計数した遊技媒体数を前記価値情報として、前記識別情報保持手段に保持される識別情報と関連付けて前記管理装置へ送信することを特徴とする請求項５又は請求項６に記載の各台対応装置。
【請求項８】
顧客が保有する価値情報を識別情報に関連付けて管理する管理装置と通信可能に構成され、前記価値情報を用いて景品交換処理を行う景品交換装置であって、
前記顧客が保有する記録媒体から、当該記録媒体を一意に特定するための特定情報を取得する特定情報取得手段と、
交換する景品を選択するために操作する選択操作手段と、
前記選択操作手段の操作によって景品が選択された場合に、取得された特定情報と、当該特定情報に関連付けられている価値情報の景品交換用価値への変換要求と、選択された前記景品の交換に必要な価値情報とを含む景品交換要求を前記管理装置へ送信する交換要求送信手段と、
前記景品交換要求に応じて前記管理装置から返信される交換許可情報を受けると、前記選択操作手段によって選択された景品の交換処理を実行する交換処理実行手段と
を有することを特徴とする景品交換装置。
【請求項９】
顧客が保有する価値情報を記憶し、前記価値情報を用いて遊技を実行可能とするとともに、各遊技台に対応して設置される各台対応装置であって、
前記価値情報を記憶する価値情報記憶手段と、
前記価値情報記憶手段に記憶される価値情報の少なくとも一部を景品交換用価値に変換するために前記顧客が操作する変換操作手段と、
前記変換操作手段の操作による変換指示に基づいて、前記価値情報記憶手段に記憶される価値情報から前記景品交換用価値に相当する価値情報を減算する価値情報減算手段と、
前記顧客が保有する記録媒体と通信し、前記景品交換用価値を前記記録媒体に書き込む交換用価値書込手段と
を有することを特徴とする各台対応装置。
【請求項１０】
顧客が保有する価値情報を景品と交換する景品交換処理を行う景品交換装置であって、
前記顧客が保有する記録媒体と通信し、前記記録媒体に対して景品交換用価値の読み取り及び書き込みを行う記録媒体用通信手段と、
交換する景品を選択するために操作する選択操作手段と、
前記選択操作手段の操作によって選択された景品の価値が、前記記録媒体用通信手段を通じて取得した景品交換用価値を超えないことを条件に、前記景品交換処理を行う交換処理手段と、
前記景品交換処理が実行されると、交換された景品の価値分を前記記録媒体に記録された景品交換用価値から減算する交換用価値減算手段と
を有することを特徴とする景品交換装置。
【請求項１１】
顧客が保有する価値情報を記憶し、前記価値情報を用いて遊技を実行可能とするとともに、各遊技台に対応して設置される各台対応装置と、顧客が保有する価値情報を景品と交換する景品交換処理を行う景品交換装置とを含む遊技システムであって、
前記各台対応装置は、
前記価値情報を記憶する価値情報記憶手段と、
前記価値情報記憶手段に記憶される価値情報の少なくとも一部を景品交換用価値に変換するために前記顧客が操作する変換操作手段と、
前記変換操作手段の操作による変換指示に基づいて、前記価値情報記憶手段に記憶される価値情報から前記景品交換用価値に相当する価値情報を減算する価値情報減算手段と、
前記顧客が保有する記録媒体と通信し、前記景品交換用価値を前記記録媒体に書き込む交換用価値書込手段と
を有し、
前記景品交換装置は、
前記顧客が保有する記録媒体と通信し、前記記録媒体に対して景品交換用価値の読み取り及び書き込みを行う記録媒体用通信手段と、
交換する景品を選択するために操作する選択操作手段と、
前記選択操作手段の操作によって選択された景品の価値が、前記記録媒体用通信手段を通じて取得した景品交換用価値を超えないことを条件に、前記景品交換処理を行う交換処理手段と、
前記景品交換処理が実行されると、交換された景品の価値分を前記記録媒体に記録された景品交換用価値から減算する交換用価値減算手段と
を有することを特徴とする遊技システム。
【発明の詳細な説明】
【技術分野】
【０００１】
本発明は、遊技システム、各台対応装置、及び景品交換装置に関するものであり、特に、顧客が保有する価値情報を用いて景品交換を行うことができる遊技システム、各台対応装置、及び景品交換装置に関するものである。
【背景技術】
【０００２】
従来、パチンコ店等の遊技店に設置される景品交換装置として、パチンコ玉やメダル等の遊技媒体を投入して、遊技媒体とタバコや缶ジュース等の景品とを交換する装置が知られていた（例えば、特許文献１参照。）。
【０００３】
また、この種の装置には、遊技店に会員登録した特定の顧客（以下、「会員」という。）が、遊技により獲得したパチンコ玉やメダル等を貯遊技媒体として遊技店に預け入れている場合に、その会員が遊技店から配布された会員カードを装置に挿入するか、若しくは、装置の所定の位置にかざすことによって、貯遊技媒体と景品とを交換することができる装置もある。
【先行技術文献】
【特許文献】
【０００４】
【特許文献１】特開２００８−０７３２５０号公報
【発明の概要】
【発明が解決しようとする課題】
【０００５】
しかしながら、上記従来の景品交換装置では、パチンコ玉やメダル等の遊技媒体の現物、もしくは会員が遊技店に預け入れておいた貯遊技媒体と景品との交換はできるが、顧客が遊技媒体を借り受けるために支払った現金の残高（以下、「プリペイド残高」という。）や、顧客が遊技により獲得した遊技媒体の数量等が関連付けられたカード（一般カードや会員カード）では景品交換を行うことができなかったため、顧客にとっては不便であった。
【０００６】
すなわち、近年の遊技店には、各遊技台に対応して併設された遊技媒体貸出機能等を備えた装置（以下、「各台対応装置」という。）内部に挿入されている一般カードや会員カードの識別情報（カードＩＤや会員ＩＤ）に、顧客のプリペイド残高や、顧客が獲得した遊技媒体数を関連付けて所定の管理装置に記憶管理させるシステムを導入している店舗がある。
【０００７】
このシステムを導入している遊技店において、顧客は、一般カードのカードＩＤや会員カードの会員ＩＤに関連付けて管理されているプリペイド残高や遊技媒体がある場合、一般カードや会員カードを各台対応装置に挿入することにより、カードＩＤや会員ＩＤに関連付けられているプリペイド残高や獲得した遊技媒体を用いて遊技を行うことができる。
【０００８】
このように、一般カードや会員カードは、プリペイド残高や獲得した遊技媒体と同等の価値を備えているにも関わらず、従来の景品交換装置では、カードＩＤや会員ＩＤに関連付けられて管理されているプリペイド残高や遊技媒体を用いて景品交換を行うことができなかったため、顧客が景品交換装置を利用するには、管理装置で管理されている自身のプリペイド残高や獲得した遊技媒体を一旦現物の遊技媒体に交換するか、もしくは、遊技媒体を貯遊技媒体として一旦遊技店に預け入れなければ、景品交換を行うことができず不便であった。
【０００９】
本発明は、上記に鑑みてなされたものであって、顧客が保有する遊技媒体や遊技媒体を借り受けるために支払った現金の残高を用いて景品交換を行うことができる遊技システム、各台対応装置、及び景品交換装置を提供することを目的とする。
【課題を解決するための手段】
【００１０】
上述した課題を解決し、目的を達成するために、本発明では、顧客が保有する価値情報を識別情報に関連付けて管理する管理装置と、前記価値情報を用いて遊技を実行可能とするとともに、各遊技台に対応して設置される各台対応装置と、前記価値情報を用いて景品交換処理を行う景品交換装置とを含む遊技システムであって、前記各台対応装置は、前記識別情報を保持する識別情報保持手段と、前記識別情報保持手段に保持される識別情報に関連付けられた価値情報を景品交換用価値に変換するために前記顧客が操作する変換操作手段と、前記顧客が保有する記録媒体から、当該記録媒体を一意に特定するための特定情報を取得する特定情報取得手段と、前記変換操作手段が操作され、且つ前記特定情報取得手段により前記特定情報が取得された場合に、前記識別情報保持手段に保持される識別情報に関連付けられた価値情報の景品交換用価値への変換要求と、取得された特定情報と、前記識別情報保持手段に保持される識別情報とを前記管理装置へ送信する管理装置用送信手段とを有し、前記管理装置は、顧客が保有する価値情報を識別情報に関連付けて記憶する記憶手段と、前記各台対応装置から前記変換要求と前記特定情報と前記識別情報とを受信する各台対応装置用受信手段と、前記各台対応装置用受信手段により前記変換要求と前記特定情報と前記識別情報とが受信された場合に、受信された前記識別情報に関連付けて前記記憶手段に記憶している前記価値情報を前記景品交換用価値に変換し、受信された前記特定情報に関連付けて記憶させる記憶管理手段と、前記景品交換装置から前記特定情報及び景品の価値を示す価値情報を受信する景品交換装置用受信手段と、前記景品交換装置用受信手段により前記特定情報及び前記価値情報が受信された場合に、受信された前記特定情報に関連付けて記憶している景品交換用価値から、受信された前記価値情報に相当する価値を減算処理する減算処理手段と、前記減算処理手段による減算処理の後に、前記景品交換装置へ景品の交換を許可する許可情報を送信する景品交換装置用送信手段とを有し、前記景品交換装置は、前記顧客が保有する記録媒体から、当該記録媒体を一意に特定するための特定情報を取得する特定情報取得手段と、交換する景品を選択するための景品選択操作手段と、前記特定情報取得手段により前記特定情報が取得され、且つ前記景品選択操作手段により景品か選択された場合に、前記管理装置へ受信された特定情報と前記景品の前記価値情報とを送信する管理装置用送信手段と、前記管理装置から前記許可情報を受信する管理装置用受信手段と、前記管理装置用受信手段により前記許可情報が受信された場合に、前記景品選択操作手段により選択された景品の交換処理を実行する景品交換手段とを有する遊技システムを提供することとした。
【００１１】
また、本発明は、前記遊技システムにおいて、前記各台対応装置は、景品交換装置で交換しようとする景品の種類、又は景品交換用価値に変換する前記価値情報を指定するために前記顧客が操作する指定操作手段を備え、前記各台対応装置の前記管理装置用送信手段は、前記指定操作手段の操作により指定された結果を示す指定情報を前記変換要求に付加して前記管理装置へ送信し、前記管理装置の前記記憶管理手段は、前記各台対応装置から受信した指定情報に相当する分の前記価値情報を前記景品交換用価値に変換することを特徴とする。
【００１２】
また、本発明では、前記遊技システムにおいて、前記管理装置の前記記憶管理手段は、前記減算処理の結果、景品交換用価値に余りが発生した場合、当該余り分の景品交換用価値を変換前の前記価値情報に再変換することを特徴とする。
【００１３】
また、本発明は、前記遊技システムにおいて、前記管理装置の前記記憶管理手段は、前記価値情報を前記景品交換用価値に変換した後、所定期間が経過しても前記減算処理が行われなかった場合に、前記記憶手段から前記景品交換用価値を削除することを特徴とする。
【００１４】
また、本発明では、顧客が保有する価値情報を識別情報に関連付けて管理する管理装置と通信可能に構成され、前記価値情報を用いて遊技を実行可能とするとともに、各遊技台に対応して設置される各台対応装置であって、前記識別情報を保持する識別情報保持手段と、前記識別情報保持手段に保持される識別情報に関連付けられた価値情報を景品交換用価値に変換するために前記顧客が操作する変換操作手段と、前記顧客が保有する記録媒体から、当該記録媒体を一意に特定するための特定情報を取得する特定情報取得手段と、前記変換操作手段が操作され、且つ前記特定情報取得手段により前記特定情報が取得された場合に、前記識別情報保持手段に保持される識別情報に関連付けられた価値情報の景品交換用価値への変換要求と、取得された特定情報と、前記識別情報保持手段に保持される識別情報とを前記管理装置へ送信する管理装置用送信手段とを有する各台対応装置を提供することとした。
【００１５】
また、本発明は、前記各台対応装置において、景品交換装置で交換しようとする景品の種類、又は景品交換に必要な価値情報を指定するために前記顧客が操作する指定操作手段を有し、前記管理装置用送信手段は、前記指定操作手段の操作により指定された結果を示す指定情報を、前記変換要求に付加して前記管理装置へ送信することを特徴とする。
【００１６】
また、本発明は、前記各台対応装置において、顧客が獲得した遊技媒体を計数する遊技媒体計数手段を有し、前記管理装置用送信手段は、前記遊技媒体計数手段によって計数した遊技媒体数を前記価値情報として、前記識別情報保持手段に保持される識別情報と関連付けて前記管理装置へ送信することを特徴とする。
【００１７】
また、本発明では、顧客が保有する価値情報を識別情報に関連付けて管理する管理装置と通信可能に構成され、前記価値情報を用いて景品交換処理を行う景品交換装置であって、前記顧客が保有する記録媒体から、当該記録媒体を一意に特定するための特定情報を取得する特定情報取得手段と、交換する景品を選択するために操作する選択操作手段と、前記選択操作手段の操作によって景品が選択された場合に、取得された特定情報と、当該特定情報に関連付けられている価値情報の景品交換用価値への変換要求と、選択された前記景品の交換に必要な価値情報とを含む景品交換要求を前記管理装置へ送信する交換要求送信手段と、前記景品交換要求に応じて前記管理装置から返信される交換許可情報を受けると、前記選択操作手段によって選択された景品の交換処理を実行する交換処理実行手段と
を有する景品交換装置を提供することとした。
【００１８】
また、本発明では、顧客が保有する価値情報を記憶し、前記価値情報を用いて遊技を実行可能とするとともに、各遊技台に対応して設置される各台対応装置であって、前記価値情報を記憶する価値情報記憶手段と、前記価値情報記憶手段に記憶される価値情報の少なくとも一部を景品交換用価値に変換するために前記顧客が操作する変換操作手段と、前記変換操作手段の操作による変換指示に基づいて、前記価値情報記憶手段に記憶される価値情報から前記景品交換用価値に相当する価値情報を減算する価値情報減算手段と、前記顧客が保有する記録媒体と通信し、前記景品交換用価値を前記記録媒体に書き込む交換用価値書込手段とを有する各台対応装置を提供することとした。
【００１９】
本発明では、顧客が保有する価値情報を景品と交換する景品交換処理を行う景品交換装置であって、前記顧客が保有する記録媒体と通信し、前記記録媒体に対して景品交換用価値の読み取り及び書き込みを行う記録媒体用通信手段と、交換する景品を選択するために操作する選択操作手段と、前記選択操作手段の操作によって選択された景品の価値が、前記記録媒体用通信手段を通じて取得した景品交換用価値を超えないことを条件に、前記景品交換処理を行う交換処理手段と、前記景品交換処理が実行されると、交換された景品の価値分を前記記録媒体に記録された景品交換用価値から減算する交換用価値減算手段とを有する景品交換装置を提供することとした。
【００２０】
また、本発明では、顧客が保有する価値情報を記憶し、前記価値情報を用いて遊技を実行可能とするとともに、各遊技台に対応して設置される各台対応装置と、顧客が保有する価値情報を景品と交換する景品交換処理を行う景品交換装置とを含む遊技システムであって、前記各台対応装置は、前記価値情報を記憶する価値情報記憶手段と、前記価値情報記憶手段に記憶される価値情報の少なくとも一部を景品交換用価値に変換するために前記顧客が操作する変換操作手段と、前記変換操作手段の操作による変換指示に基づいて、前記価値情報記憶手段に記憶される価値情報から前記景品交換用価値に相当する価値情報を減算する価値情報減算手段と、前記顧客が保有する記録媒体と通信し、前記景品交換用価値を前記記録媒体に書き込む交換用価値書込手段とを有し、前記景品交換装置は、前記顧客が保有する記録媒体と通信し、前記記録媒体に対して景品交換用価値の読み取り及び書き込みを行う記録媒体用通信手段と、交換する景品を選択するために操作する選択操作手段と、前記選択操作手段の操作によって選択された景品の価値が、前記記録媒体用通信手段を通じて取得した景品交換用価値を超えないことを条件に、前記景品交換処理を行う交換処理手段と、前記景品交換処理が実行されると、交換された景品の価値分を前記記録媒体に記録された景品交換用価値から減算する交換用価値減算手段とを有する遊技システムを提供することとした。
【発明の効果】
【００２１】
本発明によれば、顧客は、顧客自身が保有する価値情報を景品交換用価値に変換して、当該顧客が保有する記録媒体の特定情報に関連付けて管理装置に記憶管理させることができるので、この景品交換用価値を用いて景品交換装置による景品交換を行うことができ、価値情報を用いて景品交換が行えない等といった不便さを解消することができる。
【００２２】
また、本発明によれば、顧客は、所望する景品に相当する価値の分、又は景品交換用価値に変換する分の価値情報だけを景品交換用価値に変換させることができるので、遊技に使用可能な価値情報が必要以上に景品交換用価値へ変換されるおそれがなく、安心して遊技を継続することができる。
【００２３】
また、本発明によれば、景品交換後に余った景品交換用価値を再度遊技に利用可能な価値情報に変換することができるので、景品交換用価値を有効利用することができる。
【００２４】
また、本発明によれば、管理装置は、景品交換用価値を長期間にわたり管理する必要がなく、また、顧客に早期の景品交換を促すことができる。
【００２５】
また、本発明によれば、顧客は、所望する景品の種類や、景品交換用価値に変換する分の価値情報を指定することができるので、遊技に使用可能な価値情報が必要以上に景品交換用価値へ変換されるおそれがなく、安心して遊技を継続することができる。
【００２６】
また、本発明によれば、顧客は遊技で獲得した遊技媒体を景品交換用価値に変換し、この景品交換用価値を用いて景品交換装置による景品交換を行うことができ、価値情報を用いて景品交換が行えない等といった不便さを解消することができる。
【００２７】
また、本発明によれば、顧客は、各台対応装置に記憶されている顧客自身が保有する価値情報を景品交換用価値に変換させて、顧客自身が保有する記録媒体に書き込むことができるので、この記録媒体を用いて景品交換装置での景品交換を行うことができるので、価値情報を用いて景品交換が行えない等といった不便さを解消することができる。
【００２８】
また、本発明によれば、顧客は、顧客自身が保有する記録媒体に書き込まれている景品交換用価値を用いて、当該景品交換装置での景品交換を行うことができるので、価値情報を用いて景品交換が行えない等といった不便さを解消することができる。
【図面の簡単な説明】
【００２９】
【図１】図１は、第１実施形態に係る遊技システムの構成を示す説明図である。
【図２】図２は、携帯電話への景品交換用価値のチャージ手順、及びチャージした景品交換用価値を用いた景品交換手順を示す説明図である。
【図３】図３は、第１実施形態に係る各台対応装置の構成を示す機能ブロック図である。
【図４】図４は、第１実施形態に係る管理装置の構成を示す機能ブロック図である。
【図５】図５は、第１実施形態に係る景品交換装置の構成を示す機能ブロック図である。
【図６】図６は、第１実施形態に係る携帯電話の構成を示す機能ブロック図である。
【図７】図７は、第１実施形態に係る各台対応装置で実行される処理を示すフローチャートである。
【図８】図８は、第１実施形態に係る管理装置で実行される処理を示すフローチャートである。
【図９】図９は、第１実施形態に係る景品交換装置で実行される処理を示すフローチャートである。
【図１０】図１０は、第１実施形態に係る携帯電話で実行される処理を示すフローチャートである。
【図１１】図１１は、第２実施形態に係る携帯電話への景品交換用価値の書き込みから携帯電話を用いた景品交換装置での景品交換までの手順を示す説明図である。
【図１２】図１２は、第２実施形態に係る各台対応装置で実行される処理を示すフローチャートである。
【図１３】図１３は、第２実施形態に係る景品交換装置で実行される処理を示すフローチャートである。
【発明を実施するための形態】
【００３０】
以下、本発明に係る遊技システム、各台対応装置、及び景品交換装置の一実施形態について、図面を参照して説明する。本実施形態では、パチンコ店等の遊技店において、顧客が遊技で獲得したパチンコ玉（以下、「持玉」という。）、及び顧客がパチンコ玉を借り受けるために支払った現金の残高（以下、単に「残高」という。）を顧客に発行される一般カードの識別情報（以下、「カードＩＤ」という。）や、遊技店に会員登録した会員に発行される会員カードの識別情報（以下、「会員ＩＤ」という。）に関連付けて管理する管理装置と、この管理装置で管理されているパチンコ玉又は残高と景品とを交換する景品交換装置と、各パチンコ台に対応して設けられた各台対応装置と、顧客が所有する携帯電話とを含む遊技システムに対して本発明を適用した場合を例に挙げて説明する。
【００３１】
なお、本発明における遊技媒体は、パチンコ玉に限定するものではなく、遊技店で使用されるメダル等の他の遊技媒体であってもよい。また、本発明における遊技台についても、パチンコ台に限定するものではなく、所謂パチスロ機等の他の遊技機であってもよい。
【００３２】
（第１実施形態）
図１は、第１実施形態に係る遊技システムＳの構成を示す説明図である。図１に示すように、第１実施形態に係る遊技システムＳは、各台対応装置１と管理装置２と景品交換装置３と携帯電話４と会員管理装置５と、遊技店の景品カウンタに設置され、店員の操作に基づいて景品交換を行う景品管理装置６とを含んでいる。
【００３３】
特に、この遊技システムＳは、顧客が持玉又は残高（顧客が保有する価値情報）を用いて景品交換装置３や景品管理装置６での景品交換を行うことができるように構成している。なお、以下の説明では、顧客が保有する価値情報を用いて景品交換装置３での景品交換を可能とした場合について説明する。
【００３４】
各台対応装置１は、遊技店に設置されている複数台の各パチンコ台Ｐに対応して併設される装置である。各台対応装置１の具体的構成については後に詳述するが、この各台対応装置１は、顧客から投入された現金の額の範囲内で所定個数のパチンコ玉を顧客へ払出す玉払出し機能を備えている。
【００３５】
また、この各台対応装置１は、対応するパチンコ台Ｐでの遊技により顧客が獲得したパチンコ玉の個数を計数する計数機能を備えている。さらに、この各台対応装置１は、顧客の持玉数及び残高を当該各台対応装置１内部に装填されている一般カードのカードＩＤに関連付けさせる機能を備えている。また、各台対応装置１は、外部から挿入された一般カードや会員カードに持玉や残高を関連付けることができるように構成されている。会員カードは、遊技店に会員登録を行った特定の顧客（以下、「会員」という。）へ発行されるカードである。
【００３６】
なお、顧客の持玉数や残高は、この一般カードに書き込まれるのではなく、顧客がパチンコ台Ｐを移動するとき等、遊技を終了する際に、各台対応装置１が一般カードに記憶されているカードＩＤと顧客の持玉数と残高とを管理装置２へ送信することによって、管理装置２で管理される。
【００３７】
そして、持玉数及び残高が関連付けられた一般カードは、遊技の終了時に顧客へ貸与される。顧客は、この一般カードを他のパチンコ台Ｐに挿入することにより、持玉又は残高を使って遊技を再開することができる。
【００３８】
図１に示す符号１１は現金投入部、符号１２は後述の表示操作部、符号１３は持玉の払戻しや、後述の貯玉による再プレイ時にパチンコ玉を払出す玉払出部である。なお、現金やプリペイド価値を使った貸玉や賞玉は、パチンコ台Ｐの玉投出部から払出される。
【００３９】
また、図１中の符号１５は一般カード及び会員カードの出し入れや保持を行う記憶媒体保持部、符号１６はパチンコ台Ｐから払出されたパチンコ玉の個数を計数する計数部、符号１４は、携帯電話４をかざすことによって、携帯電話４から当該携帯電話４を一意に特定するための特定情報（以下、「携帯ＩＤ」という。）を受信する携帯ＩＤ受信部である。
【００４０】
管理装置２は、複数の各台対応装置１及び会員管理装置５との間で相互に情報通信可能に接続されており、各台対応装置１から送信されてくる情報に基づいて、各一般カードのカードＩＤと各顧客の持玉及び残高とを関連付けた持玉・残高情報２１１を記憶することにより、遊技店に来店している各顧客の持玉と残高とを管理する装置である。また、各台対応装置１は、会員カードの識別情報（以下、「会員ＩＤ」という。）に関連付けても、持玉やプリペイド価値を管理する。
【００４１】
特に、この管理装置２は、顧客が各台対応装置１で所定の操作を行い、携帯電話４を各台対応装置１の携帯ＩＤ受信部１４にかざした場合に、その顧客の持玉又は残高の一部を景品交換装置３での景品交換に利用可能な景品交換用価値に変換し、景品交換用価値情報２１２として記憶管理する。
【００４２】
すなわち、この遊技システムＳでは、顧客が各台対応装置１で所定の操作を行い、携帯電話４を各台対応装置１の携帯ＩＤ受信部１４にかざすことによって、その顧客の持玉又は残高の一部を景品交換用価値に変換し、その景品交換用価値を仮想的に携帯電話４に貯蓄するように構成している。以下、この携帯電話４への景品交換用価値の貯蓄をチャージという。そして、この遊技システムＳでは、携帯電話４にチャージした景品交換用価値を用いて景品交換装置３での景品交換を可能としている。
【００４３】
景品交換装置３は、遊技店内の所定箇所に設置される自動販売機であり、現金や会員が遊技店に預け入れておいた貯遊技媒体（以下、「貯玉」という。）等により景品を購入又は交換することができるように構成された装置である。
【００４４】
なお、図１中の符号３１は、携帯電話４をかざすことによって、携帯電話４から携帯ＩＤを受信する携帯ＩＤ受信部である。また、この携帯ＩＤ受信部３１は、会員カードをかざすことによって、会員カードから会員ＩＤを受信する。また、図１中の符号３２は、顧客が景品を選択するために操作する選択操作部、符号３３１は景品が払出される景品払出口である。
【００４５】
顧客は、この景品交換装置３により景品を購入しようとする場合、景品交換装置３に現金を投入して、所望する景品に対応する選択操作部３２を操作する。また、顧客は、貯玉を用いて景品交換装置３により景品交換を行おうとする場合、景品交換装置３の携帯ＩＤ受信部３１に、非接触型ＩＣ（Integrated Circuit）が内蔵された会員カードや携帯電話４をかざす。
【００４６】
特に、第１実施形態における景品交換装置３は、持玉又は残高をもっている顧客が携帯電話４を携帯ＩＤ受信部３１にかざして、所望する景品に対応する選択操作部３２を操作することによって、持玉又は残高による景品交換ができるように構成している。
【００４７】
携帯電話４は、各顧客が所有する携帯端末であり、数字や文字の入力、カーソルの移動等を行うために顧客が操作する操作部４１や所定の情報を表示する表示部４２を備えている。なお、第１実施形態の遊技システムＳに含まれる携帯電話４には、非接触型ＩＣが内蔵されており、各携帯電話４を一意に特定するための携帯ＩＤが記憶されている。
【００４８】
そして、この携帯電話４を各台対応装置１及び景品交換装置３の所定位置にかざすことによって、各台対応装置１及び景品交換装置３へ携帯ＩＤを送信する機能を備えている。
【００４９】
会員管理装置５は、各会員の住所、氏名、各会員に配布した会員カードの会員ＩＤ等といった会員情報や、各会員ＩＤと各会員の貯玉数とを関連付けた貯玉情報等を記憶管理する装置である。
【００５０】
また、景品管理装置６は、遊技店の景品カウンタに設置された景品交換用の装置である。この景品管理装置６は、店員が顧客から受取った一般カードや会員カードを挿入して、所定の操作を行うことによって、一般カードのカードＩＤや会員カードの会員ＩＤに関連付けられている持玉に相当する景品を払出す。
【００５１】
また、この景品管理装置６は、別体に設けられた携帯ＩＤ受信部６１と接続されている。携帯ＩＤ受信部６１は携帯電話４がかざされた場合に、その携帯電話から携帯ＩＤを受信する。そして、景品管理装置６は、携帯ＩＤ受信部６１により受信した携帯ＩＤに景品交換用価値が関連付けられていた場合、その景品交換用価値に相当する景品の払出しを行う。
【００５２】
このとき景品管理装置６は、携帯ＩＤ受信部６１により読取られた携帯ＩＤに関連付けられている景品交換用価値を管理装置２から取得する。そして、店員が顧客の希望を聞いて、景品管理装置６の景品選択ボタンを操作することにより、顧客により所望された景品を選択する。
【００５３】
景品管理装置６は、選択された景品の価値が管理装置２から取得した景品交換用価値の範囲内であれば、景品交換を許容して景品交換用価値から選択された景品に相当する分の価値を減算して、景品の払出しを行う。そして、景品管理装置６により払出された景品は、店員によって顧客へ手渡される。
【００５４】
ここで、第１実施形態に係る遊技システムＳの携帯電話４へ景品交換用価値をチャージする際の手順、及びチャージした景品交換用価値を用いた景品交換の手順について説明する。図２は、携帯電話４への景品交換用価値のチャージ手順、及びチャージした景品交換用価値を用いた景品交換手順を示す説明図である。
【００５５】
顧客は、チャージを行う際に、図２（ａ）に示すように各台対応装置１の表示操作部１２に表示されている「チャージ」の文字の表示位置に触れる。このように顧客が表示操作部１２の「チャージ」の文字の表示位置に触れると、表示操作部１２には、図２（ｂ）に示すように、「玉数指定」、「景品指定」という文字が表示される。
【００５６】
ここで顧客が「玉数指定」の表示位置に触れると、表示操作部１２には、図２（ｃ）に示すように、テンキーと「戻る」、「確定」の文字が表示される。そして、顧客がテンキーを操作して携帯電話４にチャージする景品交換用価値に相当する分のパチンコ玉数を入力し、その後、「確定」の表示位置に触れることにより、携帯電話４へチャージされる景品交換用価値が指定される。なお、パチンコ玉数の入力を修正する場合には、「確定」の表示位置に触れる前に、「戻る」の表示位置に触れることにより入力値を削除することができる。
【００５７】
一方、顧客が図２（ｂ）に示す「景品指定」の表示位置に触れると、表示操作部１２には、図２（ｄ）に示すように、「戻る」、「確定」の文字と景品の一覧が表示される。そして、顧客が所望する景品の表示位置に触れ、その後、「確定」の表示位置に触れることにより、携帯電話４にチャージされる景品交換用価値が指定される。なお、景品の選択を修正する場合には、「確定」の表示位置に触れる前に、「戻る」の表示位置に触れることにより選択した景品を無効とすることができる。
【００５８】
こうして携帯電話４にチャージする景品交換用価値の指定の後、図２（ｅ）に示すように、顧客が携帯電話４を各台対応装置１の携帯ＩＤ受信部１４にかざすと、各台対応装置１から管理装置２へ持玉又は残高の景品交換用価値への変換要求と、その携帯電話４の携帯ＩＤと、そのとき各台対応装置１に保持されている一般カードのカードＩＤとが送信される。
【００５９】
そして、管理装置２は、各台対応装置１から変換要求と携帯ＩＤとカードＩＤとを受信すると、その変換要求に応じた価値に相当する分の持玉又は残高の一部を景品交換用価値に変換して管理する。これにより、携帯電話４に景品交換用価値が仮想的にチャージされる。
【００６０】
このとき、管理装置２は、各台対応装置１から受信したカードＩＤに関連付けて記憶している持玉数が変換要求に応じた価値に相当する分あった場合、指定された景品交換用価値に相当する分の持玉を景品交換用価値に変換する。
【００６１】
一方、管理装置２は、持玉数が変換要求に応じた価値に相当する分なかった場合、全持玉を景品交換用価値へ変換すると共に、不足分に関しては、残高を景品交換用価値に変換することによって補う。持玉数と残額とを合わせても足りない場合は、チャージできず、その旨を報知する。
【００６２】
なお、第１実施形態では、携帯電話４にチャージする景品交換用価値を顧客に指定させる場合に、パチンコ玉数又は景品の種類を顧客に選択させるようにしているが、顧客にチャージしたい金額を指定させ、指定された金額に相当する分の持玉を景品交換用価値に変換するように構成してもよい。
【００６３】
その後、顧客が携帯電話４にチャージした景品交換用価値を用いて景品交換装置３での景品交換を行う場合、顧客は、図２（ｆ）に示すように、携帯電話４を景品交換装置３の携帯ＩＤ受信部３１にかざして携帯ＩＤを読取らせる。
【００６４】
その後、顧客が図２（ｇ）に示すように、所望の景品に対応する選択操作部３２を操作すると、景品交換装置３から会員管理装置５を経由して管理装置２へ携帯ＩＤと選択された景品の価値を示す価値情報が送信される。
【００６５】
管理装置２は、受信した携帯ＩＤに関連付けて記憶している景品交換用価値から受信した価値情報に相当する分の価値を減算した後、会員管理装置５を経由して景品交換装置３へ景品の交換を許可する許可情報を送信する。景品交換装置３は、この許可情報を受信すると、図２（ｈ）に示すように、顧客から選択された景品（ここでは、缶ジュースＤ）を払出す。
【００６６】
このように、第１実施形態の遊技システムＳでは、顧客自身が獲得した持玉や顧客自身がパチンコ玉を借り受けるために支払った現金の残高を景品交換用価値として当該顧客が所有する携帯電話４の携帯ＩＤに関連付けて、自身の携帯電話４に仮想的にチャージすることができるため、景品交換用価値がチャージされた携帯電話４を用いて景品交換装置３による景品交換を行うことができ、不便さを解消することができる。
【００６７】
また、この遊技システムＳでは、磁気カードのように非接触型ＩＣが内蔵されていない比較的安価なカードを一般カードとして採用している遊技店において、一般カードを非接触型ＩＣ内蔵カードに変更しなくても、持玉又は残高で景品交換装置３による景品交換を行うことができるため、遊技システムＳの構築や維持に要するコストが増大することを抑制することができる。
【００６８】
また、管理装置２は、景品交換用価値から景品交換に使用した分の価値を減算処理した結果、景品交換用価値に余りが生じた場合、その余り分を変換前の持玉又は残高に再変換する。これにより、景品交換後に余った景品交換用価値を再度遊技に利用可能な価値に変換することができるので、顧客は景品交換用価値を有効利用することができる。
【００６９】
また、管理装置２は、持玉又は残高を景品交換用価値に変換した後、所定時間が経過しても景品交換のための減算処理が行われなかった場合、変換して記憶管理している景品交換用価値を削除する。これにより、管理装置２は、景品交換用価値を長期間にわたり管理する必要がなく、また、顧客に早期の景品交換を促すことができる。
【００７０】
また、図２（ａ）〜（ｄ）に示した例では、顧客が各台対応装置１を操作して携帯電話４への景品交換用価値のチャージを行う場合について説明したが、第１実施形態の携帯電話４は、景品交換用価値のチャージを行うためのアプリケーションプログラム（以下、「チャージ用アプリ」という。）を記憶している。
【００７１】
そして、携帯電話４でこのチャージ用アプリを実行して、顧客が携帯電話４の操作部４１を操作することによって、携帯電話４の表示部４２に図２（ａ）、（ｂ）、（ｄ）に示す画像を表示させ、携帯電話４の操作により景品交換用価値のチャージを行うことができるように構成している。
【００７２】
これにより、顧客は、自身が所有する使い慣れた携帯電話４により所望する景品を選択することができると共に、選択した景品に相当する景品交換用価値を携帯電話４の携帯ＩＤに関連付けてチャージすることができ、その携帯電話４を用いて景品交換装置３による景品交換を行うことができるため、利便性が向上する。
【００７３】
さらに、この携帯電話４は、前述のチャージ用アプリの実行により、管理装置２で管理されている持玉数及び残高の参照と移行ができるように構成している。これにより、各台対応装置１内の一般カードへの情報の書き込みや一般カードからの情報の読み取り機能に不具合が生じた場合であっても、顧客は、自身が所有する携帯電話４により持玉数及び残高を参照することができ、また、一般カードのカードＩＤに関連付けられて管理装置２で管理されている持玉や残高を自身が所有する携帯電話４の携帯ＩＤに関連付けて管理装置２に管理させ、その持玉や残高を用いて遊技を継続することができるので、利便性が向上する。
【００７４】
次に、第１実施形態に係る各台対応装置１の構成について説明する。図３は、第１実施形態に係る各台対応装置１の構成を示す機能ブロック図である。同図には、各台対応装置１の特徴を説明するために必要な構成要素のみを示しており、一般的な構成要素についての記載を省略している。図３に示すように、各台対応装置１は、現金投入部１１、玉払出部１３、計数部１６、記憶媒体保持部１５、携帯ＩＤ受信部１４、表示操作部１２、通信部１７を備えている。
【００７５】
現金投入部１１は、顧客がパチンコ玉を借り受けるために投入した現金を各台対応装置１内部に取り込み、顧客により投入された現金の金額を示す情報を通信部１７へ出力する処理部である。この金額を示す情報は、通信部１７により管理装置２へ送信される。管理装置２では、各台対応装置１から受信した金額を示す情報と、その情報を送信してきた各台対応装置１に保持されている一般カードのカードＩＤとを関連付けて残高として記憶管理する。但し、会員カードや一般カードが外部から挿入された場合は、挿入された会員カードの会員ＩＤや一般カードのカードＩＤに関連付けて、残額（プリペイド価値）を記憶管理する。
【００７６】
玉払出部１３は、持玉の払戻しや、後述の貯玉による再プレイ時にパチンコ玉を払出す玉払出部である。なお、現金やプリペイド価値を使った貸玉や賞玉は、パチンコ台Ｐの玉投出部から払出される。
【００７７】
持玉利用ボタンや貯玉再プレイボタンが押下された際には、玉払出部１３から所定数のパチンコ玉が払出され、払出された旨の情報が通信部を介して管理装置２へ送信される。
【００７８】
管理装置２では、各台対応装置１から持玉利用ボタンが操作されたことを示す情報を受信すると、その各台対応装置１に保持されている一般カードのカードＩＤに関連付けて記憶している持玉数から所定数を減算する。
【００７９】
また、管理装置２は、各台対応装置１から一般カードや会員カードを返却する際に送信される情報に基づいて、各顧客の残高の情報や各会員の貯玉の情報を更新する。つまり、各各台対応装置１は、玉貸ボタンや貯玉再プレイボタンが操作された場合、その旨を示す情報をその都度取得して保持しておき、一般カードや会員カードの返却操作があった場合に、保持しておいた玉貸ボタンや貯玉再プレイボタンの操作履歴に関する情報を管理装置２へ送信する。
【００８０】
この情報を受信した場合に、管理装置２は、対応するカードＩＤや会員ＩＤに関連付けて記憶している貯玉数や残高から遊技に使用された分の貯玉数やプリペイド価値を減算する。
【００８１】
計数部１６は、当該各台対応装置１に対応するパチンコ台Ｐから賞球として払出されたパチンコ玉の個数を計数し、その計数結果を通信部１７へ出力する処理部である。この計数結果は、通信部１７により管理装置２へ送信される。管理装置２では、各台対応装置１から受信した計数結果と、その計数結果を送信してきた各台対応装置１に保持されている一般カードのカードＩＤとを関連付けて持玉として記憶管理する。各台対応装置１に会員カードが挿入されている場合は、計数された持玉を会員ＩＤに関連付けて記憶管理する。
【００８２】
記憶媒体保持部１５は、予め各台対応装置１に装填されている一般カードや、顧客が他の各台対応装置１から貸与された一般カード又は会員カードを受け入れて保持し、保持したカードへの情報の書き込み、又はカードからの情報の読み取りを行う処理部である。
【００８３】
この記憶媒体保持部１５は、非接触型ＩＣを搭載した会員カード情報の書き込み、及び会員カードからの情報の読み取りを行う非接触型リーダ／ライタを備えている。
【００８４】
そして、この記憶媒体保持部１５は、一般カードから読取ったカードＩＤ及び会員カードから読取った会員ＩＤを通信部１７へ出力する。このカードＩＤ及び会員ＩＤは、通信部１７により管理装置２へ送信される。管理装置２では、各台対応装置１から受信したカードＩＤと関連付けて会員以外の顧客の持玉及び残高が管理される。また、管理装置２では、各台対応装置１から受信した会員ＩＤに関連付けて会員の持玉及び残高が管理される。
【００８５】
携帯ＩＤ受信部１４は、携帯電話４に搭載されている非接触型ＩＣへの情報の書き込み、及び非接触型ＩＣからの情報の読み取りを行う非接触型リーダ／ライタを備えた処理部である。
【００８６】
この携帯ＩＤ受信部１４は、顧客によりかざされた携帯電話４から、その携帯電話４の携帯ＩＤを受信し、その携帯ＩＤを通信部１７へ出力する。この携帯ＩＤは、通信部１７により管理装置２へ送信される。管理装置２では、持玉又は残高を景品交換用価値に変換した際、変換後の景品交換用価値と各台対応装置１から受信した携帯ＩＤとが関連付けられて管理される。
【００８７】
表示操作部１２は、タッチパネル機能を備えた液晶表示装置により構成している。この表示操作部１２は、たとえば、図２（ａ）〜（ｄ）に示すように、各台対応装置１に各種処理を実行させるために顧客が操作する各種操作ボタンの画像等を表示する。
【００８８】
そして、表示操作部１２は、顧客により所定の操作が行われると、その操作に応じた情報を通信部１７へ出力する。この情報は、通信部１７により管理装置２へ送信される。
【００８９】
特に、この表示操作部１２は、図２（ａ）に示す「チャージ」の文字表示を行った場合、記憶媒体保持部１５に保持されている一般カードや会員カードのカードＩＤや会員ＩＤに関連付けて管理装置２に管理されている持玉又は残高を景品交換用価値に変換するために顧客が操作する変換操作部１２１として機能する。そして、変換操作部１２１は、「チャージ」の文字の表示位置に顧客が触れた場合に、その旨を示す情報を通信部１７へ出力する。
【００９０】
また、この表示操作部１２は、図２（ｂ）〜（ｄ）に示す各種文字情報の表示を行った場合、景品交換装置３で交換する景品の種類、又は景品交換用価値に変換する持玉数、又は残高のうち少なくとも一つを指定するために顧客が操作する指定操作部１２２として機能する。そして、指定操作部１２２は、顧客が表示画像中の所定位置に触れた場合、その旨を示す情報を通信部１７へ出力する。
【００９１】
通信部１７は、管理装置２及び携帯電話４との間で各種情報の送受信を行う処理部であり、特に、管理装置２へ各種情報を送信する管理装置用送信部１７１と、携帯電話４から各種情報を受信する携帯端末用受信部１７２とを備えている。
【００９２】
管理装置用送信部１７１は、前述のように、現金投入部１１に投入された現金の金額を示す情報、玉貸ボタン及び持玉利用ボタンが操作されたことを示す情報、計数部１６によるパチンコ玉の計数結果を示す情報等を管理装置２へ送信する。
【００９３】
特に、第１実施形態において、この管理装置用送信部１７１は、変換操作部１２１が操作され、且つ携帯ＩＤ受信部１４により携帯ＩＤが受信された場合に、記憶媒体保持部１５に保持されている一般カードのカードＩＤや会員カードの会員ＩＤに関連付けて管理装置２により管理されている持玉又は残高の景品交換用価値への変換を要求するための変換要求と、携帯ＩＤ受信部１４により受信された携帯ＩＤと、記憶媒体保持部１５に保持されている一般カードのカードＩＤとを管理装置２へ送信する。記憶媒体保持部１５に会員カードが保持が挿入されている場合は、会員ＩＤを管理装置２へ送信する。
【００９４】
さらに、この管理装置用送信部１７１は、前述の変換要求を送信する場合に、指定操作部１２２の操作により指定された結果を示す指定情報を変換要求に付加して管理装置２へ送信する。このとき付加される指定情報は、具体的には、顧客により指定された景品交換用価値に変換する持玉数又は残額を示す情報や、顧客により指定された景品の種類を示す情報等である。
【００９５】
また、携帯端末用受信部１７２は、顧客が携帯電話４にチャージアプリを実行させ、携帯電話４で景品交換用価値のチャージのために景品を選択した場合、携帯電話４から顧客により選択された景品、又は持玉数又は残高の価値を示す指定情報を受信する。そして、携帯端末用受信部１７２は、携帯電話４から受信した指定情報を管理装置用送信部１７１へ出力する。
【００９６】
管理装置用送信部１７１は、携帯端末用受信部１７２から指定情報を受信し、且つ当該各台対応装置１の携帯ＩＤ受信部１４により携帯ＩＤが受信されていた場合に、記憶媒体保持部１５に保持されている一般カードや会員カードの識別情報に関連付けて管理装置２で管理されている持玉又は残高のうち、指定情報に相当する分の持玉又は残高の景品交換用価値への変換用要求と、携帯ＩＤ受信部１４により受信された携帯ＩＤと、記憶媒体保持部１５に保持されている一般カードのカードＩＤや会員カードの会員ＩＤとを管理装置２へ送信する。
【００９７】
なお、図３には、各台対応装置１の機能的な構成を示したが、この各台対応装置１は、物理的にはＣＰＵ（Central Processing Unit）とＲＯＭ（Read Only Memory）とＲＡＭ（Random Access Memory）とを有する情報処理装置を備えており、ＣＰＵがＲＯＭから各種プログラムを読出し、ＲＡＭを作業領域として使用して実行することにより、記憶媒体保持部１５、携帯ＩＤ受信部１４、表示操作部１２、通信部１７、玉払出部１３、計数部１６、現金投入部１１等の動作を統括制御する。このＣＰＵが実行する処理については後に詳述する。
【００９８】
次に、管理装置２の構成について説明する。図４は、第１実施形態に係る管理装置２の構成を示す機能ブロック図である。同図には、管理装置２の特徴を説明するために必要な構成要素のみを示しており、一般的な構成要素についての記載を省略している。図４に示すように、管理装置２は、記憶部２１、記憶管理部２２、通信部２３を備えている。
【００９９】
記憶部２１は、情報の書き込み及び書き換えが可能なハードディスクドライブ等の大容量の不揮発性記憶装置により構成している。この記憶部２１には、一般カードのカードＩＤ又は会員カードの会員ＩＤと、そのカードを利用している顧客の持玉及び残高とが関連付けられて持玉・残高情報２１１として記憶されている。また、この記憶部２１には、携帯電話４の携帯ＩＤと、その携帯電話４の所有者の景品交換用価値とが関連付けられて景品交換用価値情報２１２として記憶されている。
【０１００】
通信部２３は、各台対応装置１、景品交換装置３、携帯電話４との間で各種情報の送受信を行う処理部であり、各台対応装置用受信部２３１、景品交換装置用受信部２３２、景品交換用送信部２３３、参照要求受信部２３４、移行要求受信部２３５、参照情報送信部２３６、移行情報送信部２３７を備えている。
【０１０１】
各台対応装置用受信部２３１は、各台対応装置１から変換要求や携帯ＩＤ、カードＩＤ会員ＩＤ、各台対応装置１で顧客により指定された景品交換用価値を示す指定情報等を受信して記憶管理部２２へ出力する処理部である。
【０１０２】
景品交換装置用受信部２３２は、会員管理装置５を介して景品交換装置３から携帯ＩＤや顧客により選択された景品の価値を示す価値情報を受信して記憶管理部２２が備える後述の減算処理部２２１へ出力する処理部である。
【０１０３】
また、景品交換装置用送信部２３３は、後述の減算処理部２２１から減算処理の完了を示す情報を受信した場合に、会員管理装置５を介して景品変換装置３へ景品交換を許可するための許可情報を送信する処理部である。
【０１０４】
また、参照要求受信部２３４は、各台対応装置１を介して携帯電話４から記憶部２１に記憶されている持玉・残高情報２１１の参照要求を受信して記憶管理部２２へ出力する処理部である。
【０１０５】
また、移行要求受信部２３５は、各台対応装置１を介して携帯電話４から持玉・残高の関連付け対象をカードＩＤから携帯ＩＤへ移行させるための移行要求を受信して記憶管理部２２が備える後述の移行処理部２２２へ出力する処理部である。
【０１０６】
参照情報送信部２３６は、記憶管理部２２から記憶部２１に記憶されている特定の顧客の持玉・残高情報２１１である参照情報が入力されると、その参照情報を各台対応装置１を介して携帯電話４へ送信する処理部である。
【０１０７】
また、移行情報送信部２３７は、後述の移行処理部２２２から関連付け対象が携帯ＩＤに移行された特定の顧客の持玉・残高情報２１１である移行情報を各台対応装置１を介して携帯電話４へ送信する処理部である。
【０１０８】
記憶管理部２２は、各台対応装置用受信部２３１から変換要求、携帯ＩＤ、カードＩＤ、会員ＩＤ、指定情報が入力された場合に、受信されたカードＩＤや会員ＩＤに関連付けて記憶部２１に記憶している持玉又は残高を景品交換用価値に変換し、入力された携帯ＩＤに変換後の景品交換用価値を関連付けて記憶部２１に記憶させる処理部である。この記憶管理部２２は、持玉又は残高を景品交換用価値に変換する場合、各台対応装置１から受信した指定情報に相当する分の持玉又は残高を景品交換用価値に変換する。具体的には、前者（持玉又は残高）を減算し、後者（景品交換用価値）に加算する。
【０１０９】
また、この記憶管理部２２は、景品交換装置用受信部２３２から、携帯ＩＤ及び顧客により選択された景品の価値情報が入力された場合に、その携帯ＩＤに関連付けて記憶部２１に記憶している景品交換用価値から入力された価値情報に相当する価値を減算処理する減算処理部２２１を備えている。この減算処理部２２１は、減算処理が完了した場合に、その旨を示す情報を後述の景品交換装置用送信部２３３へ送信する。
【０１１０】
また、この記憶管理部２２は、減算処理部２２１による減算処理の結果、景品交換用価値に余りが発生した場合、当該余り分の景品交換用価値を変換前の持玉又は残高に再変換する処理を行う。
【０１１１】
また、この記憶管理部２２は、持玉又は残高を景品交換用価値に変換した後、所定期間が経過しても減算処理部２２１により減算処理が行われなかった場合に、記憶部２１から景品交換用価値を削除する処理を行う。
【０１１２】
さらに、この記憶管理部２２は、移行要求受信部２３５から移行要求が入力された場合に、その移行要求に対応する持玉及び残高の関連付け対象をカードＩＤや会員ＩＤから、移行要求を送信してきた携帯電話４の携帯ＩＤに変更して持玉及び残高の携帯電話４への移行処理を行う移行処理部２２２を備えている。この移行処理部２２２は、移行処理が完了すると、その移行処理の結果を示す移行情報を移行情報送信部２３７へ出力する。
【０１１３】
また、この記憶管理部２２は、参照要求受信部２３４から参照要求が入力された場合、各台対応装置１を介して、参照要求に対応する持玉・残高情報２１１を参照情報として参照情報送信部２３６へ出力する。
【０１１４】
なお、図４には、管理装置２の機能的な構成を示したが、この管理装置２は、物理的にはＣＰＵとＲＯＭとＲＡＭとを有する情報処理装置を備えており、ＣＰＵがＲＯＭから各種プログラムを読出し、ＲＡＭを作業領域として使用して実行することにより、記憶管理部２２及び通信部２３等の動作を統括制御する。このＣＰＵが実行する処理については後に詳述する。
【０１１５】
次に、景品交換装置３の構成について説明する。図５は、第１実施形態に係る景品交換装置３の構成を示す機能ブロック図である。同図には、景品交換装置３の特徴を説明するために必要な構成要素のみを示しており、一般的な構成要素についての記載を省略している。図５に示すように、景品交換装置３は、携帯ＩＤ受信部３１、選択操作部３２、景品払出部３３、通信部３４を備えている。
【０１１６】
携帯ＩＤ受信部３１は、携帯電話４に搭載されている非接触型ＩＣへの情報の書き込み、及び非接触型ＩＣからの情報の読み取りを行う非接触型リーダ／ライタを備えた処理部である。
【０１１７】
この携帯ＩＤ受信部３１は、顧客によりかざされた携帯電話４から、その携帯電話４の携帯ＩＤを受信し、その携帯ＩＤを通信部３４へ出力する。この携帯ＩＤは、通信部３４により、会員管理装置５を介して管理装置２へ送信される。
【０１１８】
選択操作部３２は、顧客が交換する景品を選択するために操作する操作ボタンにより構成している。この選択操作部３２は、景品交換装置３で交換可能な各景品の種類に対応して設けられている。そして、選択操作部３２は、携帯ＩＤ受信部３１により携帯ＩＤが受信された状態で操作されると、対応する景品の価値を示す価値情報を通信部３４へ出力する。
【０１１９】
景品払出部３３は、通信部３４が備える後述の管理装置用受信部３４２から許可情報が入力された場合に、選択操作部３２の操作により選択されていた景品を景品払出口３３１から払出す処理部である。
【０１２０】
通信部３４は、会員管理装置５経由で管理装置２との間で各種情報の送受信を行う処理部であり、管理装置用送信部３４１と管理装置用受信部３４２とを備えている。
【０１２１】
管理装置用送信部３４１は、携帯ＩＤ受信部３１により携帯ＩＤが受信され、且つ選択操作部３２により景品が選択された場合に、携帯ＩＤ受信部３１から入力された携帯ＩＤと、選択操作部３２から入力される価値情報を会員管理装置５を介して管理装置２へ送信する。また、管理装置用受信部３４２は、会員管理装置５を介して景品交換に関する許可情報を受信する。
【０１２２】
なお、図５には、景品交換装置３の機能的な構成を示したが、この景品交換装置３は、物理的にはＣＰＵとＲＯＭとＲＡＭとを有する情報処理装置を備えており、ＣＰＵがＲＯＭから各種プログラムを読出し、ＲＡＭを作業領域として使用して実行することにより、携帯ＩＤ受信部３１、選択操作部３２、景品払出部３３、通信部３４等の動作を統括制御する。このＣＰＵが実行する処理については後に詳述する。
【０１２３】
次に、携帯電話４の構成について説明する。図６は、第１実施形態に係る携帯電話４の構成を示す機能ブロック図である。同図には、携帯電話４の特徴を説明するために必要な構成要素のみを示しており、一般的な構成要素についての記載を省略している。図６に示すように、携帯電話４は、操作部４１、表示部４２、プログラム記憶部４３、プログラム実行部４４、通信部４５を備えている。
【０１２４】
プログラム記憶部４３は、フラッシュメモリ等の不揮発性記憶装置により構成しており、持玉又は残高の景品交換用価値への変換を管理装置２に行わせるためのチャージ用アプリ等を記憶している。プログラム実行部４４は、このプログラム記憶部４３からチャージ用アプリを読み出して実行する処理部である。
【０１２５】
操作部４１は、テンキーボタンや通話ボタン等の一般的な携帯電話４に設けられるボタンスイッチにより構成している。この操作部４１は、プログラム実行部４４が前述のチャージ用アプリを実行することによって、景品交換装置３で交換する景品の種類、又は景品交換用価値に変換する持玉数、又は残高のうち少なくとも一つを指定するために顧客が操作する指定操作手段として機能する。
【０１２６】
また、この操作部４１は、プログラム実行部４４がチャージ用アプリを実行することによって、各台対応装置１へ、その各台対応装置１の記憶媒体保持部１５に保持されている一般カードのカードＩＤや会員カードの会員ＩＤに関連付けて管理装置２で管理されている持玉数及び残高の参照を要求するために顧客が操作する参照要求操作部４１１として機能する。
【０１２７】
さらに、この操作部４１は、プログラム実行部４４がチャージ用アプリを実行することによって、各台対応装置１へ、その各台対応装置１の記憶媒体保持部１５に保持されている一般カードのカードＩＤや会員カードの会員ＩＤに関連付けて管理装置２で管理されている持玉数及び残高の当該携帯電話４への移行を要求するために顧客が操作する移行要求操作部４１２として機能する。
【０１２８】
通信部４５は、各台対応装置用送信部４５１、参照要求送信部４５２、移行要求送信部４５３、参照情報受信部４５４、移行情報受信部４５５を備えている。
【０１２９】
各台対応装置用送信部４５１は、操作部４１が前述の指定操作手段として機能しているときの顧客による操作により指定された結果を示す景品又は持玉数又は残高に対応した指定情報が操作部４１から入力された場合に、その指定情報を各台対応装置１へ送信する処理部である。
【０１３０】
参照要求送信部４５２は、参照要求操作部４１１が操作された場合に、参照要求操作部４１１から入力される持玉数及び残高の参照要求を各台対応装置１を介して管理装置２へ送信する処理部である。また、移行要求送信部４５３は、移行要求操作部４１２が操作された場合に、移行要求操作部４１２から入力される持玉及び残高の移行要求を各台対応装置１を介して管理装置２へ送信する処理部である。
【０１３１】
参照情報受信部４５４は、各台対応装置１を介して管理装置２から参照要求に対応する持玉及び残高を示す参照情報を受信して表示部４２へ出力する処理部である。表示部４２は、参照情報受信部４５４から参照情報が入力されると、その参照情報を画像として表示することにより、持玉数及び残高を顧客へ報知する。
【０１３２】
また、移行情報受信部４５５は、各台対応装置１を介して管理装置２から移行要求に対応する持玉及び残高の移行結果を示す移行情報を受信して表示部４２へ出力する処理部である。表示部４２は、移行情報受信部４５５から移行情報が入力されると、その移行情報を画像として表示することにより、持玉及び残高の当該携帯電話４への移行結果を顧客に報知する。
【０１３３】
なお、図６には、携帯電話４の機能的な構成を示したが、この携帯電話４は、物理的にはＣＰＵとＲＯＭとＲＡＭとを有する情報処理装置を備えており、ＣＰＵがＲＯＭから各種プログラムを読出し、ＲＡＭを作業領域として使用して実行することにより、操作部４１の機能切替へ制御や、プログラム実行部４４、表示部４２、通信部４５等の動作を統括制御する。このＣＰＵが実行する処理については後に詳述する。
【０１３４】
次に、各台対応装置１のＣＰＵ（以下、単に「ＣＰＵ」という。）が実行する処理について説明する。図７は、第１実施形態に係る各台対応装置１で実行される処理を示すフローチャートである。ＣＰＵは、各台対応装置１に電源が投入されている間、所定の動作クロックに同期して図７に示す処理を周期的に繰り返し実行する。
【０１３５】
図７に示すように、各台対応装置１に電源が投入されると、ＣＰＵは、まず、顧客による変換操作部１２１のチャージ操作があったか否かの判定を行い（ステップＳ１０１）、チャージ操作があったと判定した場合（ステップＳ１０１：Ｙｅｓ）、処理をステップＳ１０２へ移す。一方、ＣＰＵは、チャージ操作がなかったと判定した場合（ステップＳ１０１：Ｎｏ）、処理をステップＳ１０５へ移す。
【０１３６】
ステップＳ１０２において、ＣＰＵは、顧客による指定操作部１２２が操作されて景品又は持玉又は残高の指定があったか否かの判定を行い、指定があったと判定した場合（ステップＳ１０２：Ｙｅｓ）、処理をステップＳ１０３へ移す。一方、ＣＰＵは、景品又は持玉又は残高の指定がなかったと判定した場合（ステップＳ１０２：Ｎｏ）、景品又は持玉又は残高の指定があるまで、ステップＳ１０２の判定処理を繰り返し行う。
【０１３７】
ステップＳ１０５において、ＣＰＵは、携帯電話４から指定情報を受信したか否かの判定を行い、指定情報を受信したと判定した場合（ステップＳ１０５：Ｙｅｓ）、処理をステップＳ１０３へ移す。一方、ＣＰＵは、携帯電話４から指定情報を受信しなかったと判定した場合（ステップＳ１０５：Ｎｏ）、処理を終了する。
【０１３８】
ステップＳ１０３において、ＣＰＵは、携帯ＩＤ受信部１４により携帯ＩＤを受信したか否かの判定を行い、携帯ＩＤを受信したと判定した場合（ステップＳ１０３：Ｙｅｓ）、処理をステップＳ１０４へ移す。一方、ＣＰＵは、携帯ＩＤを受信しなかったと判定した場合（ステップＳ１０３：Ｎｏ）、携帯ＩＤを受信するまで、ステップＳ１０３の判定処理を繰り返し行う。
【０１３９】
ステップＳ１０４において、ＣＰＵは、管理装置２へ持玉又は残高の景品交換用価値への変換を要求する変換要求と、ステップＳ１０３で受信が確認された携帯ＩＤと、当該各台対応装置１の記憶媒体保持部１５に保持されている一般カードのカードＩＤとを管理装置２へ送信させ、その後、処理を終了する。
【０１４０】
ここで、ＣＰＵは、ステップＳ１０２での指定結果又はステップＳ１０５で受信した指定情報が景品を示すものであった場合、その景品の価値を示す情報を変換要求に付加して送信させる。また、ＣＰＵは、ステップＳ１０２での指定結果又はステップＳ１０５で受信した指定情報が玉数又は残高を示すものであった場合、その玉数又は残高を示す情報を変換要求に付加して送信させる。
【０１４１】
次に、管理装置２のＣＰＵ（以下、単に「ＣＰＵ」という。）が実行する処理について説明する。図８は、第１実施形態に係る管理装置２で実行される処理を示すフローチャートである。ＣＰＵは、管理装置２に電源が投入されている間、所定の動作クロックに同期して図８に示す処理を周期的に繰り返し実行する。
【０１４２】
図８に示すように、管理装置２に電源が投入されると、ＣＰＵは、まず、各台対応装置１から景品の価値又は持玉又は残高を示す情報が付加された変換要求と携帯ＩＤとカードＩＤ（又は会員ＩＤ）とを受信したか否かの判定を行い（ステップＳ２０１）、変換要求と携帯ＩＤとカードＩＤ（又は会員ＩＤ）とを受信したと判定した場合（ステップＳ２０１：Ｙｅｓ）、処理をステップＳ２０２へ移す。一方、ＣＰＵは、変換要求と携帯ＩＤとカードＩＤ（又は会員ＩＤ）とを受信しなかったと判定した場合（ステップＳ２０１：Ｎｏ）、処理をステップＳ２０５へ移す。
【０１４３】
ステップＳ２０２において、ＣＰＵは、持玉数又は残高を景品交換用価値に変換する変換処理を行い、その後、処理をステップＳ２０３へ移す。この変換処理において、ＣＰＵは、記憶管理部２２にステップＳ２０１で受信が確認されたカードＩＤ（又は会員ＩＤ）に関連付けて記憶している持玉又は残高のうち、ステップＳ２０１で受信した変換要求に付加されている景品の価値又は持玉又は残高に相当する分の価値を景品交換用価値に変換させ、その景品交換用価値をステップＳ２０１で受信が確認された携帯ＩＤに関連付けて記憶部２１に記憶させる。
【０１４４】
ステップＳ２０３において、ＣＰＵは、ステップＳ２０１で変換要求の受信が確認されてから所定期間が経過したか否かの判定を行い、ステップＳ２０２で変換処理された景品交換用価値が記憶部２１に記憶されたままの状態で所定期間が経過したと判定した場合（ステップＳ２０３：Ｙｅｓ）、処理をステップＳ２０４へ移す。一方、ＣＰＵは、所定期間が経過していないと判定した場合（ステップＳ２０３：Ｎｏ）、処理を終了する。
【０１４５】
なお、ここでは、図示を省略しているが、ＣＰＵは、所定期間が経過していないと判定した場合（ステップＳ２０３：Ｎｏ）、一旦処理を終了した後、所定周期でステップＳ２０３の判定処理を割込み処理として実行して、そのとき、ステップＳ２０２で変換処理された景品交換用価値が記憶部２１に記憶されたままの状態で所定期間が経過したと判定した場合（ステップＳ２０３：Ｙｅｓ）、処理をステップＳ２０４へ移す。
【０１４６】
ステップＳ２０４において、ＣＰＵは、変換要求の受信から所定期間が経過しても記憶部２１に記憶されている景品交換用価値を記憶部２１の景品交換用価値情報２１２から削除し、その後、処理を終了する。
【０１４７】
また、ステップＳ２０５において、ＣＰＵは、景品交換装置３から携帯ＩＤと顧客により選択された景品の価値を示す価値情報を受信したか否かの判定を行い、携帯ＩＤと価値情報を受信したと判定した場合（ステップＳ２０５：Ｙｅｓ）、処理をステップＳ２０６へ移す。一方、ＣＰＵは、景品交換装置３から携帯ＩＤと価値情報とを受信していないと判定した場合（ステップＳ２０５：Ｎｏ）、処理をステップＳ２１０へ移す。
【０１４８】
ステップＳ２０６において、ＣＰＵは、減算処理部２２１にステップＳ２０５で受信が確認された携帯ＩＤに関連付けて記憶部２１に記憶されている景品交換用価値から、ステップＳ２０５で受信が確認された価値情報に相当する分の価値を減算処理させ、その後、処理をステップＳ２０７へ移す。
【０１４９】
ステップＳ２０７において、ＣＰＵは、ステップＳ２０６での減算処理の結果、景品交換用価値に余りが発生したか否かの判定を行い、余りが発生したと判定した場合（ステップＳ２０７：Ｙｅｓ）、処理をステップＳ２０８へ移す。一方、ＣＰＵは、ステップＳ２０６での減算処理の結果、景品交換用価値に余りが発生しなかったと判定した場合（ステップＳ２０７：Ｎｏ）、処理をステップＳ２０９へ移す。
【０１５０】
ステップＳ２０８において、ＣＰＵは、記憶管理部２２にステップＳ２０７で発生が確認された景品交換用価値を変換前の持玉又は残高に再変換させ、その後、処理をステップＳ２０９へ移す。
【０１５１】
ステップＳ２０９において、ＣＰＵは、ステップＳ２０５で受信が確認された携帯ＩＤ及び価値情報の送信元の景品交換装置３へ向けて景品交換を許可するための許可情報を送信させ、その後、処理を終了する。
【０１５２】
また、ステップＳ２１０において、ＣＰＵは、携帯電話４から参照要求を受信したか否かの判定を行い、参照要求を受信したと判定した場合（ステップＳ２１０：Ｙｅｓ）、処理をステップＳ２１１へ移す。一方、ＣＰＵは、参照要求を受信しなかったと判定した場合（ステップＳ２１０：Ｎｏ）、処理をステップＳ２１２へ移す。
【０１５３】
ステップＳ２１１において、ＣＰＵは、各台対応装置１を介して、参照要求を送信してきた携帯電話４へ、参照要求を経由した各台対応装置１の記憶媒体保持部１５に保持されている一般カードのカードＩＤや会員カードの会員ＩＤに関連付けて記憶部２１に記憶している持玉及び残高に関する参照情報を送信させ、その後、処理を終了する。
【０１５４】
また、ステップＳ２１２において、ＣＰＵは、携帯電話４から移行要求を受信したか否かの判定を行い、移行要求を受信したと判定した場合（ステップＳ２１２：Ｙｅｓ）、処理をステップＳ２１３へ移す。一方、ＣＰＵは、移行要求を受信しなかったと判定した場合（ステップＳ２１２：Ｎｏ）、処理を終了する。
【０１５５】
ステップＳ２１３において、各台対応装置１を介して、移行要求を送信してきた携帯電話４へ持玉及び残高に関する移行情報を送信させ、その後、処理を終了する。このとき、ＣＰＵは、移行処理部２２２に移行要求を経由した各台対応装置１の記憶媒体保持部１５に保持されている一般カードのカードＩＤや会員カードのカードＩＤと関連付けて記憶部２１に記憶している持玉及び残高に関する持玉・残高情報２１１を、ステップＳ２１２で受信が確認された移行要求に含まれる携帯ＩＤに関連付けさせることにより、その持玉及び残高を携帯電話４へ移行処理させた後、移行処理の結果を示す移行情報を移行要求の送信元である携帯電話４へ向けて送信させる。
【０１５６】
次に、景品交換装置３のＣＰＵ（以下、単に「ＣＰＵ」という。）が実行する処理について説明する。図９は、第１実施形態に係る景品交換装置３で実行される処理を示すフローチャートである。ＣＰＵは、景品交換装置３に電源が投入されている間、所定の動作クロックに同期して図９に示す処理を周期的に繰り返し実行する。
【０１５７】
図９に示すように、景品交換装置３に電源が投入されると、ＣＰＵは、まず、当該景品交換装置３の携帯ＩＤ受信部３１により携帯ＩＤを受信したか否かの判定を行い（ステップＳ３０１）、携帯ＩＤを受信したと判定した場合（ステップＳ３０１：Ｙｅｓ）、処理をステップＳ３０２へ移す。一方、ＣＰＵは、携帯ＩＤを受信しなかったと判定した場合（ステップＳ３０１：Ｎｏ）、処理を終了する。
【０１５８】
ステップＳ３０２において、ＣＰＵは、顧客による景品操作部３２の操作で景品選択があったか否かの判定を行い、景品選択があったと判定した場合（ステップＳ３０２：Ｙｅｓ）、処理をステップＳ３０３へ移す。一方、ＣＰＵは、景品選択操作がなかったと判定した場合（ステップＳ３０２：Ｎｏ）、景品選択操作があるまでステップＳ３０２の判定処理を繰り返す。なお、このステップＳ３０２については、携帯ＩＤが受信されてから所定時間が経過しても景品選択がなされなかった場合に（ステップＳ３０２：Ｎｏ）、ＣＰＵが処理を終了するように構成してもよい。
【０１５９】
ステップＳ３０３において、ＣＰＵは、会員管理装置５経由で管理装置２へ向けてステップＳ３０１で受信が確認された携帯ＩＤと、ステップＳ３０２で選択が確認された景品の価値を示す価値情報を送信させ、その後、処理をステップＳ３０４へ移す。
【０１６０】
ステップＳ３０４において、ＣＰＵは、会員管理装置５経由で管理装置２から景品交換を許可する許可情報を受信したか否かの判定を行い、許可情報を受信したと判定した場合（ステップＳ３０４：Ｙｅｓ）、処理をステップＳ３０５へ移す。一方、ＣＰＵは、許可情報を受信しなかったと判定した場合（ステップＳ３０４：Ｎｏ）、許可情報を受信するまで、ステップＳ３０４の判定処理を繰り返す。そして、ステップＳ３０５において、ＣＰＵは、ステップＳ３０２で選択が確認された景品を顧客へ払出す処理を行い、その後、処理を終了する。
【０１６１】
次に、携帯電話４のＣＰＵ（以下、単に「ＣＰＵ」という。）が実行する処理について説明する。図１０は、第１実施形態に係る携帯電話４で実行される処理を示すフローチャートである。ＣＰＵは、携帯電話４に電源が投入されている間、所定の動作クロックに同期して図１０に示す処理を周期的に繰り返し実行する。
【０１６２】
図１０に示すように、携帯電話４に電源が投入されると、ＣＰＵは、まず、チャージアプリが実行中であるか否かの判定を行い（ステップＳ４０１）、チャージアプリが実行中であると判定した場合（ステップＳ４０１：Ｙｅｓ）、処理をステップＳ４０２へ移す。一方、ＣＰＵは、チャージアプリが実行中でないと判定した場合（ステップＳ４０１：Ｎｏ）、処理を終了する。
【０１６３】
ステップＳ４０２において、ＣＰＵは、操作部４１の操作により、景品交換用価値のチャージのための景品又は玉数又は残高の指定操作があったか否かの判定を行い、指定操作があったと判定した場合（ステップＳ４０２：Ｙｅｓ）、処理をステップＳ４０３へ移す。一方、ＣＰＵは、指定操作がなかったと判定した場合（ステップＳ４０２：Ｎｏ）、処理をステップＳ４０４へ移す。そして、ステップＳ４０３において、ＣＰＵは、ステップＳ４０２で確認された指定結果を示す指定情報を各台対応装置１へ送信させ、その後、処理を終了する。
【０１６４】
また、ステップＳ４０４において、ＣＰＵは、顧客による参照要求操作部４１１の参照操作があったか否かの判定を行い、参照操作があったと判定した場合（ステップＳ４０４：Ｙｅｓ）、処理をステップＳ４０５へ移す。一方、ＣＰＵは、参照操作がなかったと判定した場合（ステップＳ４０４：Ｎｏ）、処理をステップＳ４０８へ移す。
【０１６５】
ステップＳ４０５において、ＣＰＵは、各台対応装置１を介して管理装置２へ参照要求を送信させ、その後、処理をステップＳ４０６へ移す。このステップＳ４０６において、ＣＰＵは、各台対応装置１を介して管理装置２から参照情報を受信したか否かの判定を行う。
【０１６６】
そして、ＣＰＵは、参照情報を受信したと判定した場合（ステップＳ４０６：Ｙｅｓ）、処理をステップＳ４０７へ移して、参照情報を表示部４２に表示させ、その後、処理を終了する。一方、ＣＰＵは、参照情報を受信しなかったと判定した場合（ステップＳ４０６：Ｎｏ）、参照情報を受信するまでステップＳ４０６の判定処理を繰り返す。
【０１６７】
また、ステップＳ４０８において、ＣＰＵは、顧客による移行要求操作部４１２の移行操作があったか否かの判定を行い、移行操作があったと判定した場合（ステップＳ４０８：Ｙｅｓ）、処理をステップＳ４０９へ移す。一方、ＣＰＵは、移行操作がなかったと判定した場合（ステップＳ４０８：Ｎｏ）、処理をステップＳ４０２へ移す。
【０１６８】
ステップＳ４０９において、ＣＰＵは、各台対応装置１を介して管理装置２へ移行要求を送信させ、その後、処理をステップＳ４１０へ移す。このとき、ＣＰＵは、移行要求に当該携帯電話４の携帯ＩＤを付加して送信させる。その後、ステップＳ４１０において、ＣＰＵは、各台対応装置１を介して管理装置２から移行情報を受信したか否かの判定を行う。
【０１６９】
そして、ＣＰＵは、移行情報を受信したと判定した場合（ステップＳ４１０：Ｙｅｓ）、処理をステップＳ４１１へ移して、移行情報を表示部４２に表示させ、その後、処理を終了する。一方、ＣＰＵは、移行情報を受信しなかったと判定した場合（ステップＳ４１０：Ｎｏ）、移行情報を受信するまでステップＳ４１０の判定処理を繰り返す。
【０１７０】
上記した第１実施形態では、顧客が各台対応装置１によりチャージ操作を行うことによって、各台対応装置１から管理装置２へ変換要求を送信させて、管理装置２に持玉やプリペイド価値の残高を景品交換用価値へ変換させているが、顧客が景品交換装置３による景品交換を行ったときに、景品交換装置３から管理装置２へ変換要求を送信するように遊技システムを変更してもよい。
【０１７１】
この場合、管理装置２に携帯ＩＤと一般カードのカードＩＤや会員カードの会員ＩＤとを関連付けて管理させておき、顧客が景品交換装置３で所望の景品を選択した後、携帯電話４を携帯ＩＤ受信部３１にかざした場合に、景品交換装置３から管理装置２へ携帯ＩＤと、携帯ＩＤに関連付けられている価値情報の景品交換用価値への変換要求と、顧客により選択された景品の交換に必要な価値情報とを含む景品交換要求を送信する。
【０１７２】
そして、景品交換装置３は、管理装置２から景品交換要求に対する交換許可情報を受信した場合に、顧客に選択されていた景品の交換処理を行う。これにより、顧客は、景品交換用価値に変換された顧客自身が保有する価値情報を用いて、当該景品交換装置３での景品交換を行うことができるので、価値情報を用いて景品交換が行えない等といった不便さを解消することができる。
【０１７３】
（第２実施形態）
次に、本発明の第２実施形態について説明する。なお、以下の説明において、第１実施形態で説明したものと同様の構成要件については、同一の符号を付することにより、その説明を省略する。
【０１７４】
上記した第１実施形態では、管理装置２が一般カードのカードＩＤや会員カードの会員ＩＤに関連付けて、顧客の持玉数及び残高等の価値情報を管理し、各台対応装置１からの変換要求を受けて価値情報を景品交換用価値に変換する場合について説明したが、第２実施形態では、各台対応装置が一般カードのカードＩＤや会員カードの会員ＩＤに関連付けて、顧客の持玉数及び残高等の価値情報を管理し、顧客が各台対応装置に対してチャージ操作を行った場合に、各台対応装置が携帯電話に景品交換用価値を書き込む場合について説明する。
【０１７５】
第２実施形態に係る携帯電話は、第１実施形態の携帯電話４が備える構成（図６参照）に加え、景品交換用価値を記憶する景品交換用価値記憶部を備えている。また、第２実施形態に係る各台対応装置は、記憶媒体保持部１５（図３参照）に保持している一般カードのカードＩＤ又は会員カードの会員ＩＤに関連付けて、顧客の持玉数やプリペイド残高を記憶管理する価値情報記憶部を備えている。
【０１７６】
第２実施形態の場合では、各台対応装置、景品交換装置、及び景品管理装置は、所定位置にかざされた携帯電話から携帯ＩＤを読取るだけでなく、後述する価値情報を書き込む機能を備えている。
【０１７７】
図１１は、第２実施形態に係る携帯電話４ａへの景品交換用価値の書き込みから携帯電話４ａを用いた景品交換装置３ａでの景品交換までの手順を示す説明図である。
【０１７８】
図１１に示すように、携帯電話４ａに持玉やプリペイド価値の残高を景品交換用価値として書き込む場合、携帯電話４ａのユーザ（以下、単に「ユーザ」という。）は、まず、各台対応装置１ａを操作してチャージ操作を行う（１）。このとき、ユーザは、景品交換用価値に変換する持玉数やプリペイド価値を入力する。
【０１７９】
その後、ユーザは、携帯電話４ａを各台対応装置１ａの携帯ＩＤ受信部１４（図３又は図３参照）、各台対応装置１ａに携帯ＩＤを受信させる（２）。各台対応装置１ａは、記憶媒体保持部１５に保持している一般カードのカードＩＤ又は会員カードの会員ＩＤに関連付けて記憶管理している持玉数やプリペイド残高からチャージ操作に対応する分の価値情報を減算し、その分の価値情報を景品交換用価値として携帯電話４ａの景品交換用価値記憶部に書き込む（３）。
【０１８０】
その後、ユーザは、景品交換装置３ａによる景品交換を行う場合、選択操作部３２（図５参照）を操作して、所望する景品を選択し（４）、景品交換用価値が記憶された携帯電話４ａを景品交換装置３の携帯ＩＤ受信部３１（図５参照）にかざすことにより、景品交換装置３ａに携帯電話ＩＤと景品交換用価値を読取らせる（５）。
【０１８１】
そして、景品交換装置３ａは、携帯電話４ａが記憶している景品交換用価値から顧客により選択された景品に相当する分の価値を減算し、価値が減算された景品交換用価値を携帯電話４ａの景品交換用価値記憶部に書き込み、その後、景品交換処理を実行して景品の払出しを行う（６）。なお、このとき景品交換装置３ａは、顧客により選択された景品の価値が携帯電話４ａから読取った景品交換用価値を超えないことを条件に、景品交換処理を実行する。
【０１８２】
次に、図１２を参照して、第２実施形態に係る各台対応装置１ａのＣＰＵ（以下、単に「ＣＰＵ」という。）が実行する処理について説明する。図１２は、第２実施形態に係る各台対応装置１ａで実行される処理を示すフローチャートである。
【０１８３】
図１２に示すように、ＣＰＵは、まず、顧客によるチャージ操作があったか否かの判定を行い、（ステップＳ５０１）、チャージ操作があったと判定した場合に（ステップＳ５０１：Ｙｅｓ）処理をステップＳ５０２へ移す。一方、ＣＰＵは、チャージ操作がなかったと判定した場合（ステップＳ５０１：Ｎｏ）、処理を終了する。
【０１８４】
ステップＳ５０２において、ＣＰＵは、携帯ＩＤを受信したか否かの判定を行い、携帯ＩＤを受信したと判定した場合に（ステップＳ５０２：Ｙｅｓ）、携帯電話４ａの景品交換用価値記憶部にチャージ操作に相当する分の景品交換用価値を書き込む（ステップＳ５０３）。
【０１８５】
このとき、ＣＰＵは、記憶媒体保持部１５に保持している一般カードのカードＩＤ又は会員カードの会員ＩＤに関連付けて記憶管理している持玉数やプリペイド残高からチャージ操作に対応する分の価値情報を減算し、その後、処理を終了する。一方、ＣＰＵは、携帯ＩＤを受信しなかったと判定した場合（ステップＳ５０２：Ｎｏ）、携帯ＩＤを受信するまで、ステップＳ５０２の判定処理を繰り返し実行する。
【０１８６】
次に、図１３を参照して、第２実施形態に係る景品交換装置３ａのＣＰＵ（以下、単に「ＣＰＵ」という。）が実行する処理について説明する。図１２は、第２実施形態に係る景品交換装置３ａで実行される処理を示すフローチャートである。
【０１８７】
図１３に示すように、ＣＰＵは、まず、顧客による景品の選択操作があったか否かの判定を行い（ステップＳ６０１）、景品選択操作があったと判定した場合に（ステップＳ６０１：Ｙｅｓ）、処理をステップＳ６０２へ移す。一方、ＣＰＵは、景品選択操作がなかったと判定した場合（ステップＳ６０１：Ｎｏ）、処理を終了する。
【０１８８】
ステップＳ６０２において、ＣＰＵは、携帯ＩＤを受信したか否かの判定を行い、携帯ＩＤを受信したと判定した場合に（ステップＳ６０２：Ｙｅｓ）、処理をステップＳ６０３へ移す。一方、ＣＰＵは、携帯ＩＤを受信しなかったと判定した場合（ステップＳ６０２：Ｎｏ）、携帯ＩＤを受信するまでステップＳ６０２の処理を繰り返し実行する。
【０１８９】
ステップＳ６０３において、ＣＰＵは、携帯電話４ａから景品交換用価値を読み取り、その後、読取った景品交換用価値から顧客により選択された景品に相当する分の価値を減算し、価値が減算された景品交換用価値を携帯電話４ａの景品交換用価値記憶部へ書き込み（ステップＳ６０４）、顧客に選択された景品を払出す景品交換処理を実行して（ステップＳ６０５）、処理を終了する。
【０１９０】
このように、第２実施形態では、顧客は、各台対応装置１ａにより顧客自身が保有する持玉やプリペイド残高を景品交換用価値に変換させて、顧客自身が保有する携帯電話４ａに書き込ませ、その携帯電話４ａに書き込まれた景品交換用価値を用いて、景品交換装置３ａでの景品交換を行うことができるので、持玉やプリペイド残高を用いて景品交換が行えない等といった不便さを解消することができる。
【０１９１】
また、第２実施形態では、顧客が保有する持玉やプリペイド残高の管理や、顧客が保有する持玉やプリペイド残高を景品交換用価値へ変換する処理等を各台対応装置１ａが実行するため、管理装置２の処理負荷を低減することができる。
【０１９２】
以上説明した第１及び第２実施形態は、本発明の一実施形態を説明したものであり、本発明は、上述した実施形態以外にも、本発明の技術的思想の範囲内において種々の異なる実施形態にて実施されてもよいものである。
【０１９３】
例えば、上記した実施形態では、顧客が保有する記録媒体として、顧客が所有する携帯電話４、４ａを例に挙げて説明したが、本発明において顧客が保有する記録媒体は、携帯電話４、４ａに限定するものではなく、非接触型ＩＣが内蔵された記憶媒体であればＩＣカードやクレジットカード等の任意の記録媒体を用いてもよい。
【０１９４】
管理装置２で価値情報を管理する識別情報としては、カードＩＤや会員ＩＤ以外に、各台対応装置１に付与される固有のユニットＩＤを用いてもよい。但し、顧客がパチンコ台Ｐを離れる際には、顧客が保有する価値情報の関連付け対象がユニットＩＤから各台対応装置１により払出されるカード（一般カードや会員カード）のカードＩＤや会員ＩＤに移行される。
【０１９５】
また、上記した実施形態では、自動販売機タイプの景品交換装置３に対して本発明を適用したが、本発明は、遊技店の景品カウンタに設置され、店員が操作することによって景品交換を行う景品管理装置６（図１参照）等、他のタイプの景品交換装置に対して適用してもよい。
【０１９６】
また、上記した実施形態では、景品交換装置３、３ａが携帯ＩＤ受信部３１を内蔵している場合を例に挙げて説明したが、携帯ＩＤ受信部３１は必ずしも景品交換装置３、３ａと一体である必要はなく、図１に示す景品管理装置６のように、携帯ＩＤ受信部６１を別体としてもよい。
【０１９７】
また、上記した実施形態では、パチンコ玉の計数機能を備えた各台対応装置１、１ａに対して本発明を適用した場合を例に挙げて説明したが、本発明は、パチンコ玉の計数機能を備えていない各台対応装置と、パチンコ台Ｐの下皿下方にある膳板上に設置され、各台対応装置と通信可能に接続された計数装置とを含む遊技システムに対しても適用することができる。
【０１９８】
また、遊技媒体と景品との交換率（レート）を複数種類設けられている場合や、パチンコ玉及びメダルの両方を用いる運用の場合には、持玉やプリペイド残高等の価値情報だけでなく、レートの種類や遊技媒体の種類についても、管理装置２又は各台対応装置１ａで管理するように遊技システムを構成する。
【符号の説明】
【０１９９】
Ｓ  遊技システム
Ｐ  パチンコ台
１、１ａ  各台対応装置
１１  現金投入部
１２  表示操作部
１２１  変換操作部
１２２  指定操作部
１３  玉払出部
１４  携帯ＩＤ受信部
１５  記憶媒体保持部
１６  計数部
１７  通信部
１７１  管理装置用送信部
１７２  携帯端末用受信部
２  管理装置
２１  記憶部
２１１  持玉・残高情報
２１２  景品交換用価値情報
２２  記憶管理部
２２１  減算処理部
２２２  移行処理部
２３  通信部
２３１  各台対応装置用受信部
２３２  景品交換装置用受信部
２３３  景品交換装置用送信部
２３４  参照要求受信部
２３５  移行要求受信部
２３６  参照情報送信部
２３７  移行情報送信部
３、３ａ  景品交換装置
３１  携帯ＩＤ受信部
３２  選択操作部
３３  景品払出部
３３１  景品払出口
３４  通信部
３４１  管理装置用送信部
３４２  管理装置用受信部
４、４ａ  携帯電話
４１  操作部
４２  表示部
４３  プログラム記憶部
４４  プログラム実行部
４５  通信部
４５１  各台対応装置用送信部
４５２  参照要求送信部
４５３  移行要求送信部
４５４  参照情報受信部
４５５  移行情報受信部
５  会員管理装置
６  景品管理装置
６１  携帯ＩＤ受信部
Ｄ  缶ジュース
【図１】
2010227440.tif 000003
【図２】
2010227440.tif 000004
【図３】
2010227440.tif 000005
【図４】
2010227440.tif 000006
【図５】
2010227440.tif 000007
【図６】
2010227440.tif 000008
【図７】
2010227440.tif 000009
【図８】
2010227440.tif 000010
【図９】
2010227440.tif 000011
【図１０】
2010227440.tif 000012
【図１１】
2010227440.tif 000013
【図１２】
2010227440.tif 000014
【図１３】
2010227440.tif 000015